(57)【要約】【課題】  内容物が見え、かつ内容物が錫に接触する構造であるグラスを提供する。【解決手段】  容器部と、支持部を備え、容器部は、透明なガラスからなるものであって、上方に開口しており、底部に貫通孔を形成してあり、支持部は、純度９７ｗｔ％以上の錫からなるものであって、容器部の貫通孔を塞ぐ閉塞部を有しており、閉塞部の上面が容器部の内側に露出している。【選択図】      図１
2018057487.tif 000002
【特許請求の範囲】
【請求項１】
容器部と、支持部を備え、
容器部は、透明なガラスからなるものであって、上方に開口しており、底部に貫通孔を形成してあり、
支持部は、純度９７ｗｔ％以上の錫からなるものであって、容器部の貫通孔を塞ぐ閉塞部を有しており、閉塞部の上面が容器部の内側に露出しているものであることを特徴とするグラス。
【発明の詳細な説明】
【技術分野】
【０００１】
本発明は、ワインを飲むためなどに用いられるグラスに関する。
【背景技術】
【０００２】
近年、食器の素材として錫が注目されている。高純度の錫には抗菌作用があるため衛生的であり、特に飲料を注いだ場合には、雑味が抜ける、味がまろやかになるといった効果があるとされる。そのため、ビールなどに適したジョッキや、日本酒などに適したお猪口など、種々の錫製食器が市販されている。
【発明の概要】
【発明が解決しようとする課題】
【０００３】
ところで、錫製食器による上記のような効果は、ワインについても認められ、錫製のワイングラスも存在する。しかしながら、ワインはグラスに注いでその色を見ることも楽しみ方の一つであるところ、錫製のワイングラスでは不透明で色を見ることができないという問題があった。
【０００４】
本発明は、上記事情を鑑みたものであり、内容物が見え、かつ内容物が錫に接触する構造であるグラスを提供することを目的とする。
【課題を解決するための手段】
【０００５】
本発明は、容器部と、支持部を備え、容器部は、透明なガラスからなるものであって、上方に開口しており、底部に貫通孔を形成してあり、支持部は、純度９７ｗｔ％以上の錫からなるものであって、容器部の貫通孔を塞ぐ閉塞部を有しており、閉塞部の上面が容器部の内側に露出しているものであることを特徴とする。
【発明の効果】
【０００６】
本発明によれば、容器部が透明なガラスからなるので、内容物が見え、注いだワインの色なども明確に視認できる。そして、高純度の錫からなる支持部の閉塞部の上面が容器部の内側に露出しており、内容物が錫に接触する構造となっているので、錫の抗菌作用により衛生的であり、さらに内容物、特に飲料に対して、雑味が抜ける、味がまろやかになるといった効果がある。また、錫はガラスよりも比重が大きいので、総ガラス製のグラスと比べて支持部が重くなり、安定性が高い。さらに、支持部が破損することがないので、取り扱いが容易である。
【図面の簡単な説明】
【０００７】
【図１】グラスの第一実施形態を示し、（ａ）は斜視図であり、（ｂ）は縦断面図である。
【図２】グラスの第一実施形態の分解図である。
【図３】（ａ）は第二実施形態の説明図、（ｂ）は第三実施形態の説明図である。
【図４】（ａ）は第四実施形態の縦断面図、（ｂ）は第五実施形態の縦断面図、（ｃ）は第六実施形態の縦断面図である。
【発明を実施するための形態】
【０００８】
本発明のグラスの具体的な構成について、各図面に基づいて説明する。なお、ここではワイングラスとして用いられるものを例に挙げる。図１および図２に示すように、このグラスの第一実施形態は、容器部１と、支持部２を備える。容器部１は、透明なガラスからなるものであって、下部が略半球形状で、上側に向けてやや先窄まりとなっていて、上方に開口しており、一般的なワイングラスの上側部分と同様の形状である。また、容器部１の底部の中心には、上下に貫通する円形の貫通孔１１を形成してあり、貫通孔１１の切り口は垂直向きの面となっている。一方、支持部２は、純度９７ｗｔ％以上の錫からなる鋳造品であって、円柱の上下方向中間部の直径を絞った、いわゆる鼓形のものであり、上端部が容器部１の貫通孔１１を塞ぐ閉塞部２１となっており、その下側部分が容器部１を支持する脚部２２となっている。閉塞部２１の側周面は、垂直向きの面となっており、この部分の直径が、容器部１の貫通孔１１の直径と略等しく、上面が平面となっており、下面には空洞が形成されている。
【０００９】
そして、図２に示すように、支持部２の上端の閉塞部２１を、容器部１の貫通孔１１に下側から挿入して、貫通孔１１を塞いである。支持部２の閉塞部２１は、貫通孔１１に丁度嵌まるものであり、閉塞部２１の上面が、貫通孔１１を通して容器部１の内側に露出する露出面２３となり、支持部２の露出面２３と容器部１の内側面が段差なく繋がる。そして、接着剤により、容器部１の貫通孔１１の開口縁部と支持部２の閉塞部２１の周縁部を接合してある。なお、この接着剤は、人体に取り込まれても安全なものである。
【００１０】
このように構成した本発明のグラスの第一実施形態は、容器部１が透明なガラスからなるので、内容物が見え、注いだワインの色も明確に視認できる。そして、高純度の錫からなる支持部２の閉塞部２１の上面が容器部１の内側に露出する露出面２３となっており、注いだワインなどの内容物が錫の露出面２３に接触する構造となっているので、錫の抗菌作用により衛生的であり、さらにワインの雑味が抜ける、味がまろやかになるといった効果がある。また、錫はガラスよりも比重が大きいので、総ガラス製のグラスと比べて支持部２が重くなり、安定性が高い。さらに、総ガラス製のグラスの場合、細長い支持部が割れやすく、慎重に取り扱わなければならないが、本発明のグラスの支持部２は、錫製で破損することがないので、取り扱いが容易である。
【００１１】
なお、上記の第一実施形態において、支持部２の露出面２３は平面となっているが、この面に凹凸を形成することで、内容物との接触面積が大きくなるようにしてもよい。凹凸は、鋳造により形成してもよいし、鋳造後にローレット加工などにより形成してもよい。また、露出面２３は金属面であるから、加工により文字や図柄を描くことも容易であり、名入れをしたり、ロゴマークを入れたりすることができる。
【００１２】
次に、図３（ａ）に基づき、グラスの第二実施形態について説明する。第二実施形態は、第一実施形態と略同じ形状であるが、容器部１と支持部２の接合部分の形状のみが異なっている。すなわち、容器部１の貫通孔１１の切り口を、下方に向けて直径が大きくなるテーパ状の面としてあり、支持部２の閉塞部２１の側周面も、これに合わせたテーパ状の面としてある。これにより、支持部２の閉塞部２１を容器部１の貫通孔１１に下側から挿入する際に、相互のテーパ状の面が係止して、確実に所定の位置で位置決めされるとともに、接着面積が大きくなるのでより確実に接合される。また、その他第一実施形態と同様の作用効果を奏する。
【００１３】
次に、図３（ｂ）に基づき、グラスの第三実施形態について説明する。第三実施形態も、第一実施形態と略同じ形状であるが、容器部１と支持部２の接合部分の形状のみが異なっている。すなわち、容器部１の貫通孔１１の切り口を、第二実施形態とは逆に上方に向けて直径が大きくなるテーパ状の面としてあり、支持部２の閉塞部２１の側周面も、これに合わせたテーパ状の面としてある。この場合、支持部２は容器部１の貫通孔１１に上側から挿入する（下端部から挿入し、全体を通過させて、最後に閉塞部２１を貫通孔１１の開口縁部に係止させる）。これにより、第二実施形態と同様に、確実に所定の位置で位置決めされるとともに、接着面積が大きくなるのでより確実に接合される。また、その他第一実施形態と同様の作用効果を奏する。
【００１４】
次に、図４（ａ）に基づき、グラスの第四実施形態について説明する。第四実施形態は、透明なガラスからなる容器部１が、円筒形状で上方および下方に開口している。すなわち、底部の全体が貫通孔１１となっている。一方、純度９７ｗｔ％以上の錫からなる支持部２は、略円盤状の閉塞部２１と、閉塞部２１の下面中心から下方に延び下端に略円盤状の台座を設けた脚部２２からなり、閉塞部２１の直径が、容器部１の貫通孔１１の直径（すなわち、容器部１全体の内径に等しい）と略等しく、閉塞部２１の上面が平面となっている。そして、支持部２の閉塞部２１を、容器部１の貫通孔１１に下側から挿入して、貫通孔１１を塞いである。支持部２の閉塞部２１は、貫通孔１１に丁度嵌まるものであり、支持部２の閉塞部２１の上面が、貫通孔１１を通して容器部１の内側に露出する露出面２３となっている。そして、接着剤により、容器部１と支持部２を接合してある。この第四実施形態も、第一実施形態と同様の作用効果を奏するものである。
【００１５】
次に、図４（ｂ）に基づき、グラスの第五実施形態について説明する。第五実施形態は、透明なガラスからなる容器部１が、上方に向けて広がりかつ上方に開口する椀形のものであり、底部の中心には、上下に貫通する円形の貫通孔１１を形成してある。一方、純度９７ｗｔ％以上の錫からなる支持部２は、上方に向けて広がりかつ上方に開口する椀形の閉塞部２１と、閉塞部２１の下面中心から下方周囲に広がって延びる脚部２２からなり、閉塞部２１の直径が、容器部１の貫通孔１１の直径よりも大きくなっている。そして、支持部２の閉塞部２１を容器部１に下側から当接させ、容器部１の下端部を椀形の閉塞部２１の内側に納めることで、貫通孔１１を塞いである。これにより、支持部２の閉塞部２１の上面が、貫通孔１１を通して容器部１の内側に露出する露出面２３となっている。そして、接着剤により、容器部１と支持部２を接合してある。この第五実施形態も、第一実施形態と同様の作用効果を奏するものであり、さらに、容器部１に対して支持部２が確実に所定の位置で位置決めされるとともに、接着面積が大きくなるのでより確実に接合される。
【００１６】
次に、図４（ｃ）に基づき、グラスの第六実施形態について説明する。第六実施形態は、透明なガラスからなる容器部１が、上方に向けて直線状に広がりかつ上方に開口する略逆円錐形のものであり、底部（円錐の頂点側）の中心には、上下に貫通する円形の貫通孔１１を形成してあって、貫通孔１１の切り口を、下方に向けて直径が大きくなるテーパ状の面としてある。一方、純度９７ｗｔ％以上の錫からなる支持部２は、略円錐形のものであり、側面の傾斜角度は容器部１の貫通孔１１のテーパの角度に一致する。その上端部が容器部１の貫通孔１１を塞ぐ閉塞部２１となっており、その下側部分が容器部１を支持する脚部２２となっていて、脚部２２の下端の直径は、容器部１の貫通孔１１の直径よりも大きくなっている。そして、支持部２の閉塞部２１を、容器部１の貫通孔１１に下側から挿入して、貫通孔１１を塞いである。支持部２の閉塞部２１は、貫通孔１１に丁度嵌まるものであり、上面（上端部）は貫通孔１１を通して容器部１の内側に突出して露出する露出面２３となっている。そして、接着剤により、容器部１と支持部２を接合してある。この第六実施形態も、第一実施形態と同様の作用効果を奏するものであり、さらに、容器部１に対して支持部２が確実に所定の位置で位置決めされるとともに、接着面積が大きくなるのでより確実に接合される。
【００１７】
本発明は、上記の実施形態に限定されない。たとえば、容器部や支持部の形状については、上記の要件を満たすものであれば、意匠性などを考慮して自在に設定できる。また、このグラスは、ワイン以外の食品の飲食に用いてもよいし、花器など、飲食以外の用途に用いてもよい。
【符号の説明】
【００１８】
１  容器部
２  支持部
１１  貫通孔
２１  閉塞部
【図１】
2018057487.tif 000003
【図２】
2018057487.tif 000004
【図３】
2018057487.tif 000005
【図４】
2018057487.tif 000006